(57)【要約】【課題】正確な穀粒の生育状況の分布を算出可能な穀粒の生育状況の分布算出装置及び穀粒の生育状況の分布算出プログラムを提供する。【解決手段】穀粒の生育状況の分布算出装置は、コンバインが刈取りを行った圃場の領域について、コンバインが当該刈取り前に通過していない領域である未通過領域であるか、コンバインが既に通過した領域である既通過領域であるか、を判定し、コンバインが通過した領域に前記未通過領域と判定された領域が含まれている場合は、収穫した穀粒の生育状況を当該未通過領域と対応付けて記憶し、コンバインが通過した領域に前記既通過領域と判定された領域が含まれている場合は、収穫した穀粒の生育状況を当該既通過領域と対応付けて記憶しない処理を行い、位置に応じた穀粒の生育状況の分布を算出する。【選択図】図７
2020202837.tif 000002
【特許請求の範囲】
【請求項１】
コンバインが刈取りを行った圃場の領域について、コンバインが当該刈取り前に通過していない領域である未通過領域であるか、コンバインが既に通過した領域である既通過領域であるか、を判定し、
コンバインが通過した領域に前記未通過領域と判定された領域が含まれている場合は、収穫した穀粒の生育状況を当該未通過領域と対応付けて記憶し、コンバインが通過した領域に前記既通過領域と判定された領域が含まれている場合は、収穫した穀粒の生育状況を当該既通過領域と対応付けて記憶しない処理を行い、位置に応じた穀粒の生育状況の分布を算出することを特徴とする穀粒の生育状況の分布算出装置。
【請求項２】
請求項１に記載の穀粒の生育状況の分布算出装置であって、
所定の領域単位で、前記未通過領域か前記既通過領域かを判定する判定部を備え、
前記領域単位の少なくとも一辺がコンバインの幅よりも短いことを特徴とする穀粒の生育状況の分布算出装置。
【請求項３】
請求項１または２に記載の穀粒の生育状況の分布算出装置であって、
前記判定部は、ＧＮＳＳアンテナと、前記コンバインの刈取装置と、の位置関係を考慮して、領域が前記未通過領域か前記既通過領域かを判定することを特徴とする穀粒の生育状況の分布算出装置。
【請求項４】
請求項１から３までの何れか一項に記載の穀粒の生育状況の分布算出装置であって、
位置に応じた穀粒の生育状況の分布を算出する算出部を備え、
前記算出部が算出した穀粒の生育状況の分布を圃場の図を用いて描画する処理を行う表示処理部を備え、
前記表示処理部は、前記算出部が穀粒の生育状況の分布を算出する領域の最小単位を複数集めることで、穀粒の生育状況の分布を表示する領域の最小単位とすることを特徴とする穀粒の生育状況の分布算出装置。
【請求項５】
コンバインが刈取りを行った圃場の領域について、コンバインが当該刈取り前に通過していない領域である未通過領域であるか、コンバインが既に通過した領域である既通過領域であるか、を判定する判定処理と、
コンバインが通過した領域に前記未通過領域と判定された領域が含まれている場合は、収穫した穀粒の生育状況を当該未通過領域と対応付けて記憶し、コンバインが通過した領域に前記既通過領域と判定された領域が含まれる場合は、収穫した穀粒の生育状況を当該既通過領域と対応付けて記憶しない処理を行い、位置に応じた穀粒の生育状況の分布を算出する算出処理と、
をコンピュータに行わせることを特徴とする穀粒の生育状況の分布算出プログラム。
【発明の詳細な説明】
【技術分野】
【０００１】
本発明は、主として、穀粒の生育状況の分布算出装置及び穀粒の生育状況の分布算出プログラムに関する。
【背景技術】
【０００２】
従来から、圃場の位置に応じた収量（収量分布）を算出する収量分布算出装置が知られている。収量分布を算出する場合、ＧＮＳＳ受信機と穀粒センサとを備えたコンバインを用いて収穫作業を行う。そして、収量分布算出装置は、ＧＮＳＳ受信機が検出したコンバインの位置と、穀粒センサが検出した穀粒量（収量）と、に基づいて、収量分布を算出する。特許文献１は、この種の収量分布算出装置を有するコンバインを開示する。
【０００３】
特許文献１のコンバインには、刈取装置のオン／オフを切り替える刈取スイッチと、脱穀装置のオン／オフを切り替える脱穀スイッチと、穀稈が搬送されているか否かを検出する作業センサと、穀粒センサと、を備える。特許文献１では、刈取スイッチ及び脱穀スイッチがオンであり、作業センサが穀稈を検出し、更に、穀粒センサの検出値の変動が少ない（安定している）場合に、収量を記録する。
【先行技術文献】
【特許文献】
【０００４】
【特許文献１】特開平１１−２３７８３５号公報
【発明の概要】
【発明が解決しようとする課題】
【０００５】
しかし、特許文献１では、位置情報と収量（穀粒の生育状況）を対応付ける制御について詳細には記載されていない。従って、特許文献１の構成では、刈取り済みの位置の近傍で穀稈を刈り取った場合、新たに検出された収量（穀粒の生育状況）で以前に検出された収量（穀粒の生育状況）が上書きされてしまう可能性がある。特に、例えば６条刈りのコンバインで作業を進め最後に残った４条分の穀稈を刈り取る場合、圃場の２条分は既に刈取り済みであり、圃場の４条分を新たに刈り取っているが、特許文献１の構成では、この４条分のみに収量（穀粒の生育状況）を割り付けることは困難である。従って、より正確な穀粒の生育状況の分布を算出する方法が求められていた。
【０００６】
本発明は以上の事情に鑑みてされたものであり、その主要な目的は、正確な穀粒の生育状況の分布を算出可能な穀粒の生育状況の分布算出装置及び穀粒の生育状況の分布算出プログラムを提供することにある。
【課題を解決するための手段及び効果】
【０００７】
本発明の解決しようとする課題は以上の如くであり、次にこの課題を解決するための手段とその効果を説明する。
【０００８】
本発明の第１の観点によれば、以下の構成の穀粒の生育状況の分布算出装置が提供される。即ち、この穀粒の生育状況の分布算出装置は、コンバインが刈取りを行った圃場の領域について、コンバインが当該刈取り前に通過していない領域である未通過領域であるか、コンバインが既に通過した領域である既通過領域であるか、を判定し、コンバインが通過した領域に前記未通過領域と判定された領域が含まれている場合は、収穫した穀粒の生育状況を当該未通過領域と対応付けて記憶し、コンバインが通過した領域に前記既通過領域と判定された領域が含まれている場合は、収穫した穀粒の生育状況を当該既通過領域と対応付けて記憶しない処理を行い、位置に応じた穀粒の生育状況の分布を算出する。
【０００９】
これにより、上記のように圃場を未通過領域と既通過領域とに分けることで、一度刈り取った領域を再び通過した場合であっても、穀粒の生育状況が上書きされないため、正確な穀粒の生育状況の分布を算出できる。
【００１０】
前記の穀粒の生育状況の分布算出装置において、所定の領域単位で、前記未通過領域か前記既通過領域かを判定する判定部を備え、前記領域単位の少なくとも一辺がコンバインの幅よりも短い。
【００１１】
これにより、領域単位を細かくすることで、正確な穀粒の生育状況の分布を算出できる。
【００１２】
【００１３】
【００１４】
前記の穀粒の生育状況の分布算出装置において、前記判定部は、ＧＮＳＳアンテナと、前記コンバインの刈取装置と、の位置関係を考慮して、領域が前記未通過領域か前記既通過領域かを判定する
【００１５】
これにより、ＧＮＳＳアンテナとコンバインの刈取装置との位置関係を考慮するため、より正確な穀粒の生育状況の分布を算出できる。
【００１６】
【００１７】
【００１８】
前記の穀粒の生育状況の分布算出装置において、位置に応じた穀粒の生育状況の分布を算出する算出部を備え、前記算出部が算出した穀粒の生育状況の分布を圃場の図を用いて描画する処理を行う表示処理部を備え、前記表示処理部は、前記算出部が穀粒の生育状況の分布を算出する領域の最小単位を複数集めることで、穀粒の生育状況の分布を表示する領域の最小単位とする。
【００１９】
これにより、穀粒の生育状況の分布を見易くするとともに、コンバインの走行方向等にも沿った向きで表示できる。
【００２０】
本発明の第２の観点によれば、以下の構成の穀粒の生育状況の分布算出プログラムが提供される。即ち、この穀粒の生育状況の分布算出プログラムは、コンバインが刈取りを行った圃場の領域について、コンバインが当該刈取り前に通過していない領域である未通過領域であるか、コンバインが既に通過した領域である既通過領域であるか、を判定する判定処理と、コンバインが通過した領域に前記未通過領域と判定された領域が含まれている場合は、収穫した穀粒の生育状況を当該未通過領域と対応付けて記憶し、コンバインが通過した領域に前記既通過領域と判定された領域が含まれる場合は、収穫した穀粒の生育状況を当該既通過領域と対応付けて記憶しない処理を行い、位置に応じた穀粒の生育状況の分布を算出する算出処理を行う。
【００２１】
これにより、上記のように圃場を未通過領域と既通過領域とに分けることで、一度刈取った領域を再び通過した場合であっても、穀粒の生育状況が上書きされないため、正確な穀粒の生育状況の分布を算出できる。
【図面の簡単な説明】
【００２２】
【図１】本発明の一実施形態に係るコンバインの全体的な構成を示す側面図。
【図２】コンバインの平面図。
【図３】コンバインの動力伝達図。
【図４】コンバインの電気的構成を示すブロック図。
【図５】グレンタンク及び穀粒センサの構成を示す縦断面図。
【図６】収量分布を求めるフローチャート。
【図７】所定の時間における未通過領域と既通過領域とを示す図。
【図８】図７の状態からコンバインが進行した場合における未通過領域と既通過領域の変化を示す図。
【図９】収量マップの例を示す図。
【図１０】圃場の辺と領域の辺とが一致しない例を示す図。
【図１１】微小な領域単位を用いることで、圃場の辺と領域の辺とを一致させた例を示す図。
【図１２】別の実施形態において収量分布を算出する構成を示す図。
【発明を実施するための形態】
【００２３】
以下、本発明の好適な実施形態について図面を参照しながら説明する。なお、以下の説明で「前」とは、コンバイン１００が刈取時に進行する方向を意味し、「後」とは、その反対の方向を意味する。また、「左」及び「右」とは、後述の運転座席１２に前向きに座るオペレータから見て左及び右を意味する。図１は、本発明の一実施形態に係るコンバイン１００の側面図である。図２は、コンバイン１００の平面図である。
【００２４】
図１に示す本実施形態のコンバイン１００は、いわゆる自脱型コンバインとして構成されている。このコンバイン１００は、左右１対の走行クローラ２によって支持された機体１を備えている。
【００２５】
機体１の前部には、穀稈を刈り取る６条刈用の刈取装置（刈取装置）３が配置されている。図１に示すように、刈取装置３は刈取入力パイプ５２を備えている。刈取装置３は、刈取入力パイプ５２の軸線まわりで昇降可能に、機体１に取り付けられている。コンバイン１００は、刈取装置３と機体１とを連結する油圧シリンダ４を備えており、この油圧シリンダ４が伸縮することで、刈取装置３を昇降させることができる。
【００２６】
機体１は、フィードチェーン６を有する脱穀装置（脱穀部）５と、脱穀後の穀粒を貯留するグレンタンク７と、グレンタンク７内の穀粒を機体の外部に排出する穀粒排出オーガ（排出部）８と、を備える。脱穀装置５及びグレンタンク７は左右に並べて設けられ、脱穀装置５が左側、グレンタンク７が右側に配置される。
【００２７】
機体１の右側前部であってグレンタンク７の前方には、運転部１０が設けられている。運転部１０は、オペレータの居住空間を構成するキャビン１１と、オペレータが座る運転座席１２と、オペレータに操作される操作部１３と、を備える。運転座席１２及び操作部１３は、キャビン１１の内部に配置されている。
【００２８】
機体１は、運転座席１２の下方に配置された動力源としてのエンジン２０を備える。本実施形態において、このエンジン２０はディーゼルエンジンとして構成されている。
【００２９】
図１に示すように、機体１の底部には左右のトラックフレーム２１が配置されている。トラックフレーム２１には、駆動スプロケット２２と、テンションローラ２３と、複数のトラックローラ２４と、が設けられている。駆動スプロケット２２は、走行クローラ２にエンジン２０の動力を伝達して駆動する。テンションローラ２３は、走行クローラ２のテンションを保持する。トラックローラ２４は、走行クローラ２の接地側を接地状態に保持する。
【００３０】
刈取装置３は、刈取入力パイプ５２及び図示しないパイプ部材等からなる刈取フレームを備える。この刈取フレームは、刈取入力パイプ５２の軸線を中心として回動可能となるように機体１に取り付けられている。
【００３１】
刈取装置３は、刈刃装置４７と、穀稈引起し装置４８と、穀稈搬送装置（搬送装置）４９と、分草体５０と、を備える。また、図２に示すように、左端の分草体５０から右端の分草体５０までの間隔を刈り幅と称する。刈刃装置４７は、バリカン式の刈刃を有しており、圃場の未刈穀稈の株元を切断することができる。穀稈引起し装置４８は、圃場の未刈穀稈を引き起こす。穀稈搬送装置４９は、刈刃装置４７によって刈り取られた穀稈を搬送する。分草体５０は、図２に丸印で示す未刈穀稈１０１の６条分を１条ずつ分草する。
【００３２】
刈取フレームの下方に刈刃装置４７が配置され、刈取フレームの前方に穀稈引起し装置４８が配置されている。穀稈引起し装置４８とフィードチェーン６の前端部（送り始端側）との間に穀稈搬送装置４９が配置されている。分草体５０は、穀稈引起し装置４８の下部前方に突状に設けられている。
【００３３】
この構成で、コンバイン１００は、エンジン２０によって走行クローラ２を駆動して圃場内を移動しながら、刈取装置３を駆動して圃場の未刈穀稈を連続的に刈り取ることができる。
【００３４】
図１に示すように、脱穀装置５は、穀稈脱穀用の扱胴２６と、揺動選別盤２７と、唐箕ファン２８と、処理胴２９と、排塵ファン３０と、を備える。扱胴２６は図示しない多数の扱歯を備えており、扱胴２６が回転することによって、扱歯により穀稈から穀粒を分離することができる。揺動選別盤２７は、扱胴２６の下方に落下する脱粒物を選別する揺動選別機構として構成される。唐箕ファン２８は、揺動選別盤２７に選別風を供給する。処理胴２９は、扱胴２６の後部から取り出される脱穀排出物を再処理する。排塵ファン３０は、揺動選別盤２７の後部の排塵を機外に排出する。
【００３５】
以上の構成で、刈取装置３から穀稈搬送装置４９によって送られてきた刈取穀稈の株元側は、フィードチェーン６の前端側（送り始端側）に受け継がれる。そして、フィードチェーン６の搬送により、穀稈の穂先側が脱穀装置５内に導入され、扱胴２６によって脱穀される。
【００３６】
フィードチェーン６の後端側（送り終端側）には、排藁チェーン３４が配置されている。フィードチェーン６の後端側から排藁チェーン３４に受け継がれた排藁は、長い状態で機体１の後方に排出されるか、又は脱穀装置５の後方側に設けた排藁切断装置３５にて適宜の長さに短く切断された後、機体１の後下方に排出される。なお、ここでいう排藁とは穀粒が分離された後の穀稈のことである。
【００３７】
揺動選別盤２７の下方には、当該揺動選別盤２７にて選別された穀粒（一番選別物）を取り出す一番コンベア３１と、枝梗付き穀粒等の二番選別物を取り出す二番コンベア３２と、が設けられている。本実施形態では、機体１の進行方向前側から一番コンベア３１、二番コンベア３２の順で、それぞれ機体左右方向に向けて配置されている。
【００３８】
揺動選別盤２７は、扱胴２６の下方に落下した脱穀物を揺動選別（比重選別）するように構成されている。揺動選別盤２７から落下した穀粒（一番選別物）は、その穀粒中の粉塵が唐箕ファン２８からの選別風によって除去され、一番コンベア３１に落下する。一番コンベア３１のうち脱穀装置５におけるグレンタンク７寄りの一側壁（実施形態では右側壁）から外向きに突出した終端部には、上下方向に延びる一番揚穀筒３３が接続されている。一番コンベア３１から取り出された穀粒は、一番揚穀筒３３内の図略の一番揚穀コンベアによってグレンタンク７に搬入されて貯留される。
【００３９】
揺動選別盤２７は、揺動選別（比重選別）によって、枝梗付き穀粒等の二番選別物（穀粒と藁屑等が混在した再選別用の還元再処理物）を二番コンベア３２に落下させるように構成されている。二番コンベア３２によって取り出された二番選別物は、二番還元コンベア３６及び二番処理部３７を介して揺動選別盤２７の上面側に戻されて再選別される。また、扱胴２６からの脱粒物中の藁屑及び粉塵等は、唐箕ファン２８からの選別風によって、機体１の後部から圃場に向けて排出される。
【００４０】
次に、図３を参照して、コンバインの動力伝達系の構成について説明する。図３は、コンバイン１００の動力伝達図である。
【００４１】
図３に示すように、本実施形態のコンバイン１００が備えるエンジン２０の動力は、当該エンジン２０の出力軸２０ａから、走行クローラ２を駆動させる無段変速装置１５と、脱穀装置５の各部と、穀粒排出オーガ８と、刈取装置３と、にそれぞれ分岐して伝達される。
【００４２】
無段変速装置１５は、静圧油圧式無段変速（ＨＳＴ）式の変速装置として構成されている。この無段変速装置１５は図略の油圧ポンプと油圧モータの対を備えた公知の構造であるので、詳細な説明は省略する。
【００４３】
エンジン２０の駆動力の一部は、刈取装置３への駆動力の伝達の有無を切換可能な刈取クラッチ４６を介して、当該刈取装置３に伝達される。なお、刈取装置３の各構成への駆動力伝達機構については説明を省略する。
【００４４】
エンジン２０の駆動力の一部は、脱穀装置５への駆動力の伝達の有無を切換可能な脱穀クラッチ２５を介して、脱穀装置５の各構成に伝達される。具体的には、前記駆動力は、唐箕ファン２８及び一番コンベア３１に伝達された後、更に二番コンベア３２、揺動選別盤２７、排藁切断装置３５、及びフィードチェーン６へ伝達される。
【００４５】
前記一番コンベア３１は、揺動選別盤２７で選別された精粒を外部に送り出すためのものである。この一番コンベア３１の端部にはベベルギアを介して揚穀コンベア４１が連結されており、一番コンベア３１に伝達された駆動力によって揚穀コンベア４１が駆動される。揚穀コンベア４１は、一番揚穀筒３３の内部に配置されており、穀粒をグレンタンク７へ運ぶことができる。以上の構成で、揺動選別盤２７等で選別された精粒は、一番コンベア３１及び揚穀コンベア４１を介してグレンタンク７に運搬され、グレンタンク７内で貯留される。
【００４６】
前記二番コンベア３２の端部には還元コンベア４２がベベルギアを介して連結されている。また、還元コンベア４２の端部には二番処理部３７がベベルギアを介して連結されている。これにより、二番コンベア３２に伝達された駆動力は、更に還元コンベア４２及び二番処理部３７へ伝達される。前記二番コンベア３２及び還元コンベア４２は精粒から分離された二番物（枝梗付き穀粒や穂切れ粒等）を二番処理部３７に搬送するためのものである。二番物は、二番処理部３７により枝梗等が除去された後、揺動選別盤２７に戻されて再び選別される。
【００４７】
また、エンジン２０の駆動力の一部は、扱胴２６及び処理胴２９に伝達される。扱胴２６に伝達された駆動力は、更に、扱胴２６で処理された排藁を排藁切断装置３５まで搬送するための排藁チェーン３４に伝達される。排藁切断装置３５は、排藁チェーン３４によって搬送された排藁を図略の回転刃によって切断して排出する。
【００４８】
グレンタンク７に貯留された穀粒は、複数のコンベアにより穀粒排出オーガ８へ送られる。穀粒排出オーガ８は、穀粒排出オーガ８の内部に設けられたコンベアを駆動することで、穀粒を排出することができる。
【００４９】
次に、図４及び図５を参照して、コンバイン１００に設けられたセンサと管理装置７０について説明する。図４は、コンバイン１００の電気的構成を示すブロック図である。図５は、グレンタンク７及び穀粒センサ６２の構成を示す縦断面図である。
【００５０】
コンバイン１００は、図４に示すように、ＧＮＳＳ受信機６１と、穀粒センサ６２と、穀稈検出センサ６４と、をセンサとして備える。
【００５１】
ＧＮＳＳ受信機６１は、キャビン１１の上面に配置されたＧＮＳＳアンテナ６０と接続されている。なお、ＧＮＳＳアンテナ６０とＧＮＳＳ受信機６１は同じ位置に配置されていても良いし、異なる位置に配置されていても良い。ＧＮＳＳ受信機６１は、ＧＮＳＳアンテナ６０が測位衛星から受信した信号に基づいて、コンバイン１００の位置（詳細にはＧＮＳＳアンテナ６０の位置）の緯度・経度情報として算出する。ＧＮＳＳ受信機６１が行う測位は、単独測位であっても良いし、別のＧＮＳＳ受信機の算出結果を用いる相対測位であっても良い。また、相対測位としては、ディファレンシャルＧＮＳＳを用いても良いし、干渉測位を用いても良い。ＧＮＳＳ受信機６１が検出したコンバイン１００の位置（位置検出値）は、検出した時刻とともに、管理装置７０へ出力される。なお、時刻との対応付けは、ＧＮＳＳ受信機６１側で行っても良いし、管理装置７０側で行っても良い（他のセンサについても同様）。
【００５２】
穀粒センサ６２は、コンバイン１００で収穫された穀粒量（収量）を検出する。具体的には、図５に示すように、穀粒センサ６２はグレンタンク７の上面に取り付けられている。上述のように、脱穀装置５等によって得られた穀粒１０２は、一番揚穀筒３３の内部に設けられた揚穀コンベア４１によってグレンタンク７へ向けて搬送される。この揚穀コンベア４１の軸の下流側の端部には、放出羽根４３が接続されている。放出羽根４３は、揚穀コンベア４１により搬送された穀粒１０２をグレンタンク７に向けて跳ね飛ばす。また、穀粒センサ６２には、歪みゲージ又は圧電素子等の衝撃検出部が設けられている。この構成により、穀粒センサ６２は、放出羽根４３が跳ね飛ばした穀粒１０２が衝突した際の衝撃力を検出する。穀粒センサ６２は、この衝撃力に基づいて、穀粒量（収量検出値）を検出する。穀粒センサ６２は、検出した穀粒量を管理装置７０へ出力する。なお、穀粒センサ６２は、穀粒量ではなく、衝撃力を管理装置７０へ出力しても良い。つまり、穀粒センサ６２は、穀粒量（収量）に関する値である収量検出値（穀粒量そのもの、又は穀粒量を算出するための値）を検出して管理装置７０へ出力する構成であれば良い。
【００５３】
なお、揚穀コンベア４１に穀粒１０２が連続的に供給されている場合であっても、放出羽根４３は穀粒を間欠的に跳ね飛ばすため、穀粒センサ６２が検出する衝撃力も離散的となる。従って、穀粒センサ６２は、一定の間隔で得られた衝撃力を平均化する等して、穀粒量を算出する。この処理を行うことにより、穀粒センサ６２は、穀粒量の時間変化を検出することができる。
【００５４】
なお、穀粒センサ６２は、衝撃力以外の方法を用いることで、穀粒量を検出する構成であっても良い。例えば、収穫した穀粒量の重さを用いることで穀粒量を検出可能である。
【００５５】
穀稈検出センサ６４は、例えば刈取装置３に設けられており、搬送される穀稈に接触することで穀稈を検出する構成のセンサである。穀稈検出センサ６４は、穀稈が搬送されているか否か、即ち刈取作業が行われているかを検出する。なお、穀稈検出センサ６４が設けられる位置は任意であり、例えば穀稈搬送装置４９に設けられていても良い。穀稈検出センサ６４は、検出結果を管理装置７０へ出力する。
【００５６】
管理装置７０は、キャビン１１内に設けられており、オペレータの操作等に応じて様々な情報を表示可能である。管理装置７０は、制御部７１と、表示部７５と、記憶部７６と、操作部７７と、を備える。
【００５７】
制御部７１は、管理装置７０内に配置されたＣＰＵ等の演算装置であるが、ＦＰＧＡ又はＡＳＩＣ等の演算装置であっても良い。制御部７１は、ＲＯＭに記憶されたプログラムをＲＡＭに読み出して実行することで、様々な処理を行うことができる。制御部７１は、取得部７２と、判定部７３と、算出部７４と、表示処理部７８と、を備える。取得部７２は、ＧＮＳＳ受信機６１、穀粒センサ６２、及び、穀稈検出センサ６４等の検出値を取得する。判定部７３が行う処理は後述する。算出部７４は、取得部７２が取得した検出値に基づいて収量分布を算出する（詳細な算出方法を後述する）。表示処理部７８は、取得部７２が取得した検出値、及び、算出部７４が算出した収量分布等に基づいて、表示画面を生成する。
【００５８】
表示部７５は、液晶ディスプレイ等で構成されており、表示処理部７８が生成した表示画面を表示する。記憶部７６は、フラッシュメモリ（フラッシュディスク及びメモリーカード等）、ハードディスク、又は光ディスク等の不揮発性メモリである。記憶部７６は、取得部７２が取得した検出値、及び、算出部７４が算出した収量分布等を記憶する。操作部７７は、ハードウェアキー又はタッチパネル等であり、オペレータの操作内容を制御部７１へ出力する。
【００５９】
次に、収量分布を算出する処理について説明する。図６は、収量分布を求めるフローチャートである。図７及び図８は、コンバイン１００が進行した場合における未通過領域と既通過領域の変化を示す図である。
【００６０】
初めに、本実施形態の収量分布を算出する方法の概要を説明する。従来では、圃場を分割する領域単位が荒い（１つの領域単位の面積が大きい）。そのため、例えば６条刈りのコンバインで作業を進め最後に残った４条分の穀稈を刈り取る場合、圃場の２条分は既に刈取り済みであり、圃場の４条分を新たに刈り取っているが、４条分のみに収量を割り付けることは困難であった。
【００６１】
この点、本実施形態では、図７及び図８に示すように、圃場を分割して収量を割り付ける領域単位が非常に細かい。具体的には、本実施形態では領域単位は正方形であり、一辺がコンバインの幅、刈り幅、分草体５０の配置間隔の何れよりも短い。圃場内にどのように領域単位を定めるかは任意であるが、例えば、圃場が長方形である場合は、圃場の輪郭を構成する短辺に平行な仮想線を所定間隔で引くとともに、長辺に平行な仮想線を短辺と同じ間隔で引くことで、正方形の領域単位を定めることができる。なお、この仮想線は、経線及び緯線と平行に引いても良い。ここで、穀粒センサ６２及び穀稈検出センサ６４では、６条刈りのコンバインのどの部分で穀稈を刈り取っているが判断することはできない。この点、本実施形態では、圃場を細かく分割するとともに、分割した領域単位毎に、未通過／既通過の情報を割り当てる（図７及び図８を参照）。未通過の情報が割り当てられた領域単位の集合が未通過領域であり、既通過の情報が割り当てられた領域単位の集合が既通過領域である。
【００６２】
コンバイン１００が通過した場合、基本的には穀稈が存在すれば穀稈を刈り取るため、既通過領域においては、刈取り済みと判断できる。これにより、６条刈りのコンバインで４条分を新たに刈り取っている場合においても、４条分の未通過領域が存在することが特定できれば、当該未通過領域に収量を割り付けることができる。以下、具体的な処理について説明する。なお、図６に示す処理を行うタイミングは任意であり、刈取り中に行っても良いし、圃場全体の刈取りが完了した後に行っても良い。
【００６３】
上述のように、コンバイン１００が備える各センサの検出値は、管理装置７０へ出力される。言い換えれば、管理装置７０の制御部７１は、コンバイン１００が備える各センサの検出値（特に、ＧＮＳＳ受信機６１及び穀粒センサ６２の検出値）を取得する（図６のＳ１０１）。
【００６４】
次に、制御部７１は、コンバイン１００の幅に関するデータと、ＧＮＳＳアンテナ６０と刈取装置３の位置関係と、を読み出す（Ｓ１０２）。コンバイン１００の幅に関するデータは、コンバイン１００の走行時に未通過領域を既通過領域に変更する幅を特定するために用いられる。コンバイン１００の幅に関するデータとしては、コンバイン１００の左右幅、刈り幅、オペレータが入力した所定の値等が該当する。制御部７１は、「コンバイン１００の幅に関するデータ」をそのまま「未通過領域を既通過領域に変更する幅」にしても良いし、「コンバイン１００の幅に関するデータ」に基づいて「未通過領域を既通過領域に変更する幅」を算出しても良い。本実施形態では、制御部７１が「刈り幅」を読み出し、刈り幅をそのまま「未通過領域を既通過領域に変更する幅」として用いる。
【００６５】
また、ＧＮＳＳアンテナ６０と刈取装置３の位置関係は、ＧＮＳＳアンテナ６０が検出した位置と、未通過領域を既通過領域に変更する位置と、を補正するために（具体的には刈取装置３の絶対位置を算出するために）用いられる。また、制御部７１は、コンバイン１００の幅に関するデータと、ＧＮＳＳアンテナ６０と刈取装置３の位置関係と、を記憶部７６から読み出す構成であるが、オペレータに入力を求めても良いし、オペレータが所有する端末にアクセスして読み出す構成であっても良い。
【００６６】
次に、判定部７３は、コンバイン１００が刈取りを行った（コンバイン１００が通過した）領域であって、収量の割り付けの判定がまだ行われていない領域（処理対象の領域）を特定する（Ｓ１０３）。判定部７３は、この領域に、未通過領域が含まれるか否かを判定する（Ｓ１０４）。初めに、未通過領域／既通過領域の変化について説明する。ＧＮＳＳ受信機６１の検出結果と、ＧＮＳＳアンテナ６０と刈取装置３の位置関係と、コンバイン１００の刈り幅と、を用いることで、圃場のどの位置がコンバイン１００が通過した領域であるかを算出できる。具体的には、図７及び図８に示すように、コンバイン１００が走行することで、左右方向においてコンバイン１００の刈り幅かつ前後方向において刈取装置３を通過した部分に含まれる全ての領域単位が、未通過領域から既通過領域に変更され、記憶部７６に記憶される。なお、未通過領域から既通過領域に変更する処理は、図６に示す収量の割付けが行われた後である。つまり、判定部７３は、今回の刈取りが行われる前の時点（収量の割付けが行われる前の時点）において、未通過と既通過の何れが登録されているかを記憶部７６にアクセスして領域単位毎に判定することで、ステップＳ１０４の判定を行う。なお、コンバイン１００が走行した領域には収量が割り付けられるため、算出部７４は、今回の刈取りが行われる前の時点において収量が対応付けられている領域単位を既通過領域と判定し、収量が対応付けられていない領域単位を未通過領域と判定することで、ステップＳ１０４の判定を行うこともできる。
【００６７】
処理対象の領域に未通過領域が含まれている場合（言い換えれば、今回の刈取りが行われる前の時点において、全てが未通過領域である場合か、未通過領域と既通過領域の両方が含まれる場合）、コンバイン１００による刈取りが行われている。この場合、算出部７４は、穀粒センサ６２の検出値に基づいて得られた収量を、処理対象の領域のうちの未通過領域に割り付ける（Ｓ１０５）。上述のように位置に応じた収量は、ＧＮＳＳ受信機６１及び穀粒センサ６２等の検出値に基づいて算出できる。しかし、コンバイン１００の左右方向の収量の分布は穀粒センサ６２等では検出できない。従って、算出部７４は、ある位置の収量を、当該位置の左右方向に存在する未通過の領域単位に均等に割り付けて記憶部７６に記憶する。なお、当該位置に既通過の領域単位が存在している場合、この既通過の領域単位には収量を割り付けない（以前に割り付けた収量を維持する）。つまり、穀粒センサ６２が微量の穀粒量を検出していた場合でも当該既通過領域と対応付けて記憶しない。更に、制御部７１は、上述のように、未通過の領域単位を既通過に変更する。その後、管理装置７０は、処理対象の領域が残存しているか否かを判定する（Ｓ１０６）。処理対象の領域が残存している場合は、再びステップＳ１０３以降の処理を行う。管理装置７０は、処理対象の領域が残存していない場合は、処理を終了する。以上の処理を行うことで、圃場の位置に応じた収量（収量分布）を算出することができる。算出部７４は、算出した収量分布を記憶部７６に記憶する。また、表示処理部７８は、算出部７４から取得した収量分布に基づいて収量マップを生成し、表示部７５に表示する。
【００６８】
一方、処理対象の領域に未通過領域が含まれていない場合（言い換えれば今回の刈取りが行われる前の時点において全て既通過領域である場合）、穀稈の刈取りは行われないので、収量の割り付けも不要となる。従って、管理装置７０は、処理対象の領域が残存しているか否かを判定する（Ｓ１０６）。以降の処理は上述した通りである。
【００６９】
図９には、図６の処理を行うことで得られた収量分布に基づいて算出した収量マップである。収量マップには、位置毎の収量が圃場の模式図を用いてグラフィカルに表示されている。生産者は、この収量マップを確認することで、圃場の位置毎の生育状況を把握することができる。これを用いて、例えば次年度の肥料管理等を行うことで、収穫量を更に向上させることができる。
【００７０】
次に、本実施形態のように領域単位を細かくすることの別の利点について図１０及び図１１を参照して説明する。図１０は、圃場の辺と領域の辺とが一致しない例を示す図である。図１１は、微小な領域単位を用いることで、圃場の辺と領域の辺とを一致させた例を示す図である。
【００７１】
圃場を分割する場合、一般的には経度線及び緯度線に平行な線を複数引くことで分割を行う。そのため、図１０に示すように圃場の輪郭を構成する線が経度線又は緯度線と平行でない場合、圃場の輪郭を構成する線と平行でない線によって圃場が分割される。しかし、コンバイン１００やトラクタ等を用いた作業時は、圃場の輪郭を構成する線に平行に行われることが多いため、図１０の分割方法では、領域毎の管理が複雑になることがある。
【００７２】
この点、本実施形態では、未通過／既通過を判定する領域単位毎に収量が割り付けられるため、収量分布を算出する領域の最小単位は、この領域単位と同一である。本実施形態では、この領域単位の面積は圃場を管理する領域の最小単位の面積と比べて十分小さいため、当該領域単位を複数集めた領域を、圃場を管理する領域の最小単位（収量分布を表示する領域の最小単位）とすることができる（図１１を参照）。これにより、表示処理部７８は、圃場の輪郭を構成する線と、圃場を管理する領域の輪郭を構成する何れかの線と、が平行となるように収量マップ等を生成して表示部７５に表示することができる。これにより、領域毎の管理が行い易くなる。なお、本明細書において平行とは、略平行を含む概念である。また、図１１では経度線及び緯度線と、圃場の輪郭を構成する線と、が平行でないため、収量分布を表示する領域の輪郭を構成する線（図１１の太線）は、厳密には、経度線及び緯度線に平行な多数の線の組合せにより、疑似的に圃場の輪郭を構成する線と平行な線を実現している。しかし、本明細書においては、このような態様も含めて、「圃場の輪郭を構成する線と、収量分布を表示する領域の輪郭を構成する線と、が平行」とみなす。
【００７３】
次に、上記実施形態とは別の実施形態について説明する。図１２は、別の実施形態において収量分布を算出する構成を示す図である。上記実施形態では、コンバイン１００に設けられた管理装置（コンピュータ）７０でセンサの検出結果の取得及び収量分布の算出を行ったが、これらの処理は、コンバイン１００以外で行うこともできる。
【００７４】
図１２（ａ）に示す例では、コンバイン１００に設けられた各センサの検出結果を、無線通信又は有線通信を用いたり、記録媒体を用いたりして、オペレータの所有するＰＣ２００に送信する。そして、ＰＣ２００は、インターネットを介して、センサの検出結果をサーバ２１０に送信する。また、ＧＮＳＳアンテナ６０と分草体５０の位置関係及び刈り幅等は、コンバイン１００を介してサーバ２１０へ送信しても良いし、生産者がＰＣ２００等を用いてサーバ２１０にアクセスして入力しても良い。また、サーバ２１０がコンバイン１００の型番等から所定のデータベースにアクセスして取得しても良い。サーバ２１０は、上記実施形態で説明した方法を用いて収量分布を算出する。そして、収量分布をＰＣ２００へ送信する。生産者は、例えばＰＣ２００上で収量分布を閲覧することができる。
【００７５】
なお、サーバ２１０は、１台のサーバでなくても良く、例えば複数台のサーバで演算を分担して行っても良い。また、センサの検出結果を取得又は記憶する装置と、領域の判定及び収量分布を算出する装置と、が物理的に離れていても良い（この場合、２つの装置は適宜の通信手段で接続される）。これらの場合においても、本発明における「収量分布算出装置、コンピュータ」に相当する。
【００７６】
図１２（ｂ）に示す例においても、図１２（ａ）に示す例と同様に、コンバイン１００に設けられた各センサの検出結果をオペレータの所有するＰＣ２００に送信する。また、ＧＮＳＳアンテナ６０と分草体５０の位置関係及び刈り幅等は、図１２（ａ）のサーバ２１０と同様に、ＰＣ２００が取得する。図１２（ｂ）に示す例では、サーバ２１０ではなくＰＣ２００がセンサの検出結果の取得、領域の判定、及び収量分布の算出を行う。この処理に必要な収量分布算出プログラムは、サーバ２１０から提供されている。図１２（ｂ）に示す例では、ＰＣ２００が本発明における「収量分布算出装置、コンピュータ」に相当する。
【００７７】
なお、図１２（ａ）及び図１２（ｂ）の何れにおいても、ＰＣ２００に代えて、スマートフォン又はタブレット端末を用いることもできる。また、コンバイン１００がインターネット等に接続されている場合は、ＰＣ２００を介さずにセンサの検出結果を送信することもできる。
【００７８】
以上に説明したように、上記の管理装置７０は、取得部７２と、判定部７３と、算出部７４と、を備える。取得部７２は、コンバイン１００の位置を検出するＧＮＳＳ受信機６１の検出値である位置検出値と、コンバイン１００の収量に関する検出値である収量検出値と、を取得する（取得処理）。判定部７３は、取得部７２が取得した位置検出値と、刈取りを行ったコンバイン１００の幅に関するデータと、に基づいて、コンバイン１００が刈取りを行った圃場の領域について、コンバイン１００が当該刈取り前に通過していない領域である未通過領域であるか、コンバイン１００が既に通過した領域である既通過領域であるか、を判定する（判定処理）。算出部７４は、コンバイン１００が通過した領域に未通過領域と判定された領域が含まれている場合は、収量検出値が示す収量を当該未通過領域と対応付けて記憶し、コンバイン１００が通過した領域が既通過領域と判定された場合は、収量検出値が示す収量を当該既通過領域と対応付けて記憶しない処理を行い、位置に応じた収量の分布である収量分布を算出する（算出処理）。
【００７９】
これにより、上記のように圃場を未通過領域と既通過領域とに分けることで、一度刈り取った領域を再び通過した場合であっても、収量が上書きされないため、正確な収量分布を算出できる。
【００８０】
また、上記の管理装置７０において、判定部７３は、所定の領域単位で、未通過領域か既通過領域かを判定する。領域単位の少なくとも一辺がコンバイン１００の幅、及び、分草体５０の配置間隔よりも短い。
【００８１】
これにより、領域単位を細かくすることで、正確な収量分布を算出できる。
【００８２】
また、上記の管理装置７０においては、判定部７３は、ＧＮＳＳアンテナ６０と、コンバイン１００の刈取装置３と、の位置関係を考慮して、領域が未通過領域か既通過領域かを判定する。
【００８３】
これにより、ＧＮＳＳアンテナ６０とコンバイン１００の刈取装置３との位置関係を考慮するため、より正確な収量分布を算出できる。
【００８４】
また、上記の管理装置７０は、算出部７４が算出した収量分布を圃場の図を用いて描画する処理を行う表示処理部７８を備える。表示処理部７８は、算出部７４が収量分布を算出する領域の最小単位を複数集めることで、収量分布を表示する領域の最小単位とする。
【００８５】
これにより、収量分布を細かく算出することで、収量分布を表示する領域を柔軟に変更できる。
【００８６】
また、上記の管理装置７０においては、表示処理部７８は、圃場の輪郭を構成する線と、収量分布を表示する領域の最小単位の輪郭を構成する何れかの線と、が平行となるように、収量分布を表示する。
【００８７】
これにより、収量分布を見易く、かつ、コンバイン１００の走行方向等にも沿った向きで表示できる。
【００８８】
以上に本発明の好適な実施の形態を説明したが、上記の構成は例えば以下のように変更することができる。
【００８９】
上記実施形態では、未通過領域と既通過領域を判定するための領域単位は正方形であるが、別の形状であっても良い。例えば、領域単位は、長方形であっても良いし、六角形であっても良い。領域単位が長方形等である場合は、領域単位の少なくとも一辺が、コンバインの幅、刈り幅、分草体５０の配置間隔の何れよりも短いことが好ましい。
【００９０】
ＧＮＳＳアンテナ６０が例えば刈取部の上面の中央に設けられていたり、未通過領域／既通過領域の領域単位が荒い場合は、ＧＮＳＳアンテナ６０と刈取装置３の位置関係を使うことなく、ある程度の精度で収量分布を算出できる。
【００９１】
上記実施形態では、未通過領域に収量を割り付ける場合に、左右方向に存在する未通過の領域単位に均等に収量を割り付けた。この構成に代えて、例えば左右方向の穀稈量の分布をカメラ又は接触センサ等で検出し、この検出結果に基づいて（即ち穀稈量が多い領域単位は割り付けられる収量が多くなるように）、収量を割り付けることもできる。また、未通過／既通過を判定する領域単位と、収量を割り付ける単位と、が異なっていても良い。
【００９２】
本実施形態では、穀粒センサ６２が検出した穀粒量を収量に関する収量検出値として用いて、圃場の位置毎に登録した。これに代えて、他の収量検出値（例えば藁量）を圃場の位置毎に登録しても良い。
【００９３】
上記実施形態では、コンバイン１００に設けられた管理装置７０でセンサの検出結果の取得及び収量分布の算出を行ったが、コンバイン１００に設けられた別の制御装置（例えばコンバイン１００の各部を制御する装置）で同様の処理を行っても良い。
【符号の説明】
【００９４】
６１  ＧＮＳＳ受信機
６２  穀粒センサ
６４  穀稈検出センサ
７０  管理装置（収量分布算出装置）
７１  制御部
７２  取得部
７３  判定部
７４  算出部
１００  コンバイン
【図１】
2020202837.tif 000003
【図２】
2020202837.tif 000004
【図３】
2020202837.tif 000005
【図４】
2020202837.tif 000006
【図５】
2020202837.tif 000007
【図６】
2020202837.tif 000008
【図７】
2020202837.tif 000009
【図８】
2020202837.tif 000010
【図９】
2020202837.tif 000011
【図１０】
2020202837.tif 000012
【図１１】
2020202837.tif 000013
【図１２】
2020202837.tif 000014